(57)【要約】【課題】一方の無線通信装置を他方の無線通信装置から離した状態と他方の無線通信装置に装着した状態のいずれでも、２つの無線通信装置の間で通信可能な通信システムを構成する無線通信装置で、消費電力を低減できるようにする。【解決手段】ベース装置１０の正面部２６の下部にコネクタ１９を設け、表示端末５０の底面にコネクタ５９を設ける。表示端末５０がベース装置１０から離れているときには、無線通信によってデータを送受信する。表示端末５０がベース装置１０に装着されたときには、ベース装置１０および表示端末５０で、そのことを検出して、無線通信によらずにコネクタ１９および５９を介してデータを送受信するとともに、それぞれの無線通信部を構成する変復調部の電源を遮断する。【選択図】　　　　図３
2004023629.tif 000002
【特許請求の範囲】
【請求項１】
相手方無線通信装置が当該無線通信装置から離れた状態と当該無線通信装置に装着された状態のいずれでも、相手方無線通信装置との間で通信可能な無線通信装置であって、
相手方無線通信装置に送信されるデータが出力され、または相手方無線通信装置から送信されたデータが入力される信号処理部と、
この信号処理部の出力データを変調して相手方無線通信装置に無線送信し、または相手方無線通信装置から無線送信されたデータを復調する無線通信部と、
相手方無線通信装置が当該無線通信装置に装着された状態で相手方無線通信装置のコネクタと接続されるコネクタと、
相手方無線通信装置が当該無線通信装置から離れているか当該無線通信装置に装着されているかを検出する検出手段と、
相手方無線通信装置が当該無線通信装置に装着されたとき、前記検出手段の検出結果に基づいて、前記信号処理部の出力データを前記コネクタを介して相手方無線通信装置に送信し、または相手方無線通信装置から前記コネクタを介して送信されたデータを前記信号処理部に入力させるとともに、前記無線通信部の電源を遮断する切換制御手段と、
を備える無線通信装置。
【請求項２】
請求項１の無線通信装置において、
当該無線通信装置は、画像データを送信するベース装置と、このベース装置から送信された画像データを受信して、ディスプレイ上に画像を表示する表示端末とからなる通信システムのベース装置である無線通信装置。
【請求項３】
請求項１の無線通信装置において、
当該無線通信装置は、通信ネットワークに接続されるベース装置と、このベース装置を介して通信ネットワークにアクセスし、通信ネットワーク上の情報を受信して、ディスプレイ上に情報を表示する表示端末とからなる通信システムのベース装置である無線通信装置。
【請求項４】
当該無線通信装置が相手方無線通信装置から離れた状態と相手方無線通信装置に装着された状態のいずれでも、相手方無線通信装置との間で通信可能な無線通信装置であって、
相手方無線通信装置に送信されるデータが出力され、または相手方無線通信装置から送信されたデータが入力される信号処理部と、
この信号処理部の出力データを変調して相手方無線通信装置に無線送信し、または相手方無線通信装置から無線送信されたデータを復調する無線通信部と、
当該無線通信装置が相手方無線通信装置に装着された状態で相手方無線通信装置のコネクタと接続されるコネクタと、
当該無線通信装置が相手方無線通信装置から離れているか相手方無線通信装置に装着されているかを検出する検出手段と、
当該無線通信装置が相手方無線通信装置に装着されたとき、前記検出手段の検出結果に基づいて、前記信号処理部の出力データを前記コネクタを介して相手方無線通信装置に送信し、または相手方無線通信装置から前記コネクタを介して送信されたデータを前記信号処理部に入力させるとともに、前記無線通信部の電源を遮断する切換制御手段と、
を備える無線通信装置。
【請求項５】
請求項４の無線通信装置において、
当該無線通信装置は、画像データを送信するベース装置と、このベース装置から送信された画像データを受信して、ディスプレイ上に画像を表示する表示端末とからなる通信システムの表示端末である無線通信装置。
【請求項６】
請求項４の無線通信装置において、
当該無線通信装置は、通信ネットワークに接続されるベース装置と、このベース装置を介して通信ネットワークにアクセスし、通信ネットワーク上の情報を受信して、ディスプレイ上に情報を表示する表示端末とからなる通信システムの表示端末である無線通信装置。
【請求項７】
請求項１〜６のいずれかの無線通信装置において、
前記切換制御手段は、当該無線通信装置と相手方無線通信装置との間の通信を、前記コネクタを介した通信に切り換えた後、前記無線通信部の電源を遮断する無線通信装置。
【請求項８】
請求項１〜７のいずれかの無線通信装置において、
前記切換制御手段は、相手方無線通信装置が当該無線通信装置から離れたとき、または当該無線通信装置が相手方無線通信装置から離れたとき、前記無線通信部に電源を投入した後、当該無線通信装置と相手方無線通信装置との間の通信を、前記コネクタを介さない無線通信に切り換える無線通信装置。
【発明の詳細な説明】
【０００１】
【発明の属する技術分野】
この発明は、一方の無線通信装置を他方の無線通信装置から離した状態と他方の無線通信装置に装着した状態のいずれでも、２つの無線通信装置の間で通信可能な通信システムに関する。
【０００２】
【従来の技術】
住宅内やオフィス内などの限られたエリア内で用いられる無線通信システムの一種として、図８に示すように、テレビ放送の受信用のアンテナ１に接続されるチューナ２１が内蔵または接続され、モデム２２を介して電話回線２に接続されるなど、情報ソースまたはアクセスポイントとして機能するベース装置１０と、このベース装置１０との間の無線通信によって、ベース装置１０に対してコマンドを発行して、ベース装置１０からテレビの映像を受信し、インターネット上の情報を受信して、ＬＣＤ（液晶ディスプレイ）５１上に映像や情報を表示し、ベース装置１０を介して電子メールを送受信するなどの機能を実行する表示端末５０とからなるシステムが考えられている。
【０００３】
このシステムでは、ユーザは、ベース装置１０を適当な場所に固定的に配置し、表示端末５０を通信可能エリア内の任意の場所に持ち運んで、任意の場所で手元の表示端末５０によって、テレビ放送を受信し、インターネットにアクセスし、電子メールを送受信するなどの機能を実行することができる。
【０００４】
この場合、表示端末５０を手に持って使用し、または、表示端末５０に設けられたスタンドを開いて、表示端末５０を適当な面上に適当な傾斜角で自立させるなど、表示端末５０をベース装置１０から離して使用することができるだけでなく、表示端末５０をベース装置１０に立て掛けて使用するなど、表示端末５０をベース装置１０に装着して使用することができるように、システムが構成される。
【０００５】
このようなシステムに用いることができる無線周波数帯として、ＩＥＥＥ８０２．１１ｂ規格では２．４ＧＨｚ帯が規定され、ＩＥＥＥ８０２．１１ａ規格では５ＧＨｚ帯が規定されている。
【０００６】
【発明が解決しようとする課題】
しかしながら、上述した従来の通信システムは、表示端末５０をベース装置１０から離して使用する場合は勿論のこと、表示端末５０をベース装置１０に装着して使用する場合でも、ベース装置１０と表示端末５０との間で無線通信によってデータを送受信するので、ベース装置１０および表示端末５０の消費電力が大きくなる。
【０００７】
そこで、この発明は、一方の無線通信装置を他方の無線通信装置から離した状態と他方の無線通信装置に装着した状態のいずれでも、２つの無線通信装置の間で通信可能な通信システムを構成する無線通信装置において、消費電力を低減できるようにしたものである。
【０００８】
【課題を解決するための手段】
第１の発明の無線通信装置は、
相手方無線通信装置が当該無線通信装置から離れた状態と当該無線通信装置に装着された状態のいずれでも、相手方無線通信装置との間で通信可能な無線通信装置であって、
相手方無線通信装置に送信されるデータが出力され、または相手方無線通信装置から送信されたデータが入力される信号処理部と、
この信号処理部の出力データを変調して相手方無線通信装置に無線送信し、または相手方無線通信装置から無線送信されたデータを復調する無線通信部と、
相手方無線通信装置が当該無線通信装置に装着された状態で相手方無線通信装置のコネクタと接続されるコネクタと、
相手方無線通信装置が当該無線通信装置から離れているか当該無線通信装置に装着されているかを検出する検出手段と、
相手方無線通信装置が当該無線通信装置に装着されたとき、前記検出手段の検出結果に基づいて、前記信号処理部の出力データを前記コネクタを介して相手方無線通信装置に送信し、または相手方無線通信装置から前記コネクタを介して送信されたデータを前記信号処理部に入力させるとともに、前記無線通信部の電源を遮断する切換制御手段と、
を備えるものである。
【０００９】
第２の発明の無線通信装置は、
当該無線通信装置が相手方無線通信装置から離れた状態と相手方無線通信装置に装着された状態のいずれでも、相手方無線通信装置との間で通信可能な無線通信装置であって、
相手方無線通信装置に送信されるデータが出力され、または相手方無線通信装置から送信されたデータが入力される信号処理部と、
この信号処理部の出力データを変調して相手方無線通信装置に無線送信し、または相手方無線通信装置から無線送信されたデータを復調する無線通信部と、
当該無線通信装置が相手方無線通信装置に装着された状態で相手方無線通信装置のコネクタと接続されるコネクタと、
当該無線通信装置が相手方無線通信装置から離れているか相手方無線通信装置に装着されているかを検出する検出手段と、
当該無線通信装置が相手方無線通信装置に装着されたとき、前記検出手段の検出結果に基づいて、前記信号処理部の出力データを前記コネクタを介して相手方無線通信装置に送信し、または相手方無線通信装置から前記コネクタを介して送信されたデータを前記信号処理部に入力させるとともに、前記無線通信部の電源を遮断する切換制御手段と、
を備えるものである。
【００１０】
上記の構成の無線通信装置では、相手方無線通信装置が当該無線通信装置に装着されているとき、または当該無線通信装置が相手方無線通信装置に装着されているときには、無線通信部の電源が遮断され、当該無線通信装置と相手方無線通信装置との間の通信が、無線通信ではなく、コネクタを介した通信とされるので、消費電力が低減する。
【００１１】
【発明の実施の形態】
以下に、この発明を上述したベース装置および表示端末によって構成される無線通信システムに適用した場合を例に挙げて、この発明の実施形態を示す。
【００１２】
〔システムの概略構成：図１〜図３〕
図１は、表示端末の一例の外観的な構成を示し、図２は、ベース装置の一例の外観的な構成を示す。
【００１３】
図１に示すように、表示端末５０の正面には、ＬＣＤ（液晶ディスプレイ）５１が設けられ、その表示画面上には、タッチパネル５２が設けられ、ＬＣＤ５１の左右には、上部にスピーカ５３が設けられ、下部にベース装置１０との間の無線通信用の平面状のアンテナ５５が設けられる。
【００１４】
アンテナ５５の一方は、表示端末５０の前方側に半球面状の放射パターンを形成するものとされ、他方は、逆に表示端末５０の後方側に半球面状の放射パターンを形成するものとされて、一方および他方の受信レベル情報に基づいて実際に送信および受信を行うアンテナが選択されることによって、両者を合わせたものとして、全球面状の放射パターンを有するアンテナが形成されて、表示端末５０とベース装置１０との位置関係の如何にかかわらず、表示端末５０とベース装置１０との間の無線通信が良好に行われるように構成される。
【００１５】
表示端末５０の正面の右側部分には、スピーカ５３の下側に、インデックスボタン５４ａ、ジャンプボタン５４ｂ、およびチャンネルボタン５４ｃ，５４ｄが設けられる。
【００１６】
インデックスボタン５４ａは、これを押すことによって、ＬＣＤ５１上に図示するようなインデックス画面を表示するものであり、ユーザは、タッチペン６３または指で、いずれかのメニューにタッチすることによって、テレビの選局、ベース装置１０に接続された外部機器の操作、インターネットへのアクセス、メールの作成・送信、アルバムの作成・表示などを行うことができる。
【００１７】
ジャンプボタン５４ｂは、これを押すことによって、一つ前に受信していたテレビチャンネルを受信することができるものであり、チャンネルボタン５４ｃは、これを押すことによって、ＬＣＤ５１上に表示される操作画面が、テレビ→外部機器→インターネット→メール→アルバム→テレビの順に切り換えられるものであり、チャンネルボタン５４ｄは、これを押すことによって、ＬＣＤ５１上に表示される操作画面が、上記の順とは逆の順に切り換えられるものである。
【００１８】
アルバムとは、デジタルカメラなどで撮影してメモリカード６６に記録した画像を、ＬＣＤ５１上に表示し、ＬＣＤ５１上で加工し、ＬＣＤ５１上で作成したメールに添付し、あるいは、テレビの画像を静止画として、またはメールで受信した画像やインターネット上で取得した画像などを、表示端末５０内またはメモリカード６６に保存するなどである。
【００１９】
表示端末５０の左側面には、ＬＣＤ５１の明るさを調整するダイヤル６１などが設けられ、上面には、タッチペン６３が装着されるタッチペン収納部６４などが設けられ、右側面には、メモリカード６６が装着されるスロット６７などが設けられ、背面には、表示端末５０を自立させるためのＵ形のスタンド６９が開閉可能に取り付けられ、図では省略したが、スタンド６９で囲まれる部分にバッテリー収納部が設けられ、これにバッテリーが収納される。
【００２０】
さらに、表示端末５０の底面には、充電端子５７ａ，５７ｂ、表示端末５０がベース装置１０から離れているかベース装置１０に装着されているかを検出するための端子５８ａ，５８ｂ、および表示端末５０とベース装置１０との間で無線通信によらずにデータを送受信するためのコネクタ５９が設けられる。
【００２１】
図２に示すように、ベース装置１０は、正面部２６と後方部２７を接合して一体化した構造とされ、正面部２６の左右位置には、表示端末５０との間の無線通信用の平面状のアンテナ２８が設けられる。
【００２２】
表示端末５０のアンテナ５５と同様に、アンテナ２８の一方は、ベース装置１０の前方側に半球面状の放射パターンを形成するものとされ、他方は、逆にベース装置１０の後方側に半球面状の放射パターンを形成するものとされて、一方および他方の受信レベル情報に基づいて実際に送信および受信を行うアンテナが選択されることによって、両者を合わせたものとして、全球面状の放射パターンを有するアンテナが形成されて、ベース装置１０と表示端末５０との位置関係の如何にかかわらず、ベース装置１０と表示端末５０との間の無線通信が良好に行われるように構成される。
【００２３】
正面部２６は、後方側に傾いたものとされ、その中央下部に、表示端末５０をベース装置１０に立て掛けるための支持体２９が設けられ、この支持体２９の内側に、充電端子１７ａ，１７ｂ、表示端末５０がベース装置１０から離れているかベース装置１０に装着されているかを検出するための端子１８ａ，１８ｂ、およびベース装置１０と表示端末５０との間で無線通信によらずにデータを送受信するためのコネクタ１９が設けられる。
【００２４】
後方部２７の下部背面には、後述のアンテナ端子や回線端子などの各種端子が設けられる。
【００２５】
上述したベース装置１０および表示端末５０からなる通信システムでは、表示端末５０を手に持って使用する場合や、図３（Ａ）に示すように、表示端末５０のスタンド６９を開いて、表示端末５０を適当な面上に適当な傾斜角で自立させて使用する場合など、表示端末５０をベース装置１０から離して使用する場合には、表示端末５０の検出用端子５８ａ，５８ｂがベース装置１０の検出用端子１８ａ，１８ｂに接続されず、かつ表示端末５０のコネクタ５９がベース装置１０のコネクタ１９に接続されないことによって、後述のように、ベース装置１０と表示端末５０との間で無線通信によってデータが送受信される。
【００２６】
一方、図３（Ｂ）に示すように、表示端末５０をベース装置１０に立て掛ける場合には、表示端末５０の充電端子５７ａ，５７ｂがベース装置１０の充電端子１７ａ，１７ｂに接続されることによって、表示端末５０に装着されたバッテリーをベース装置１０によって充電することができる。
【００２７】
さらに、このように表示端末５０をベース装置１０に装着して使用する場合には、表示端末５０の検出用端子５８ａ，５８ｂがベース装置１０の検出用端子１８ａ，１８ｂに接続され、かつ表示端末５０のコネクタ５９がベース装置１０のコネクタ１９に接続されることによって、後述のように、ベース装置１０と表示端末５０との間で無線通信によらずにデータが送受信されるとともに、ベース装置１０および表示端末５０の無線通信部の電源が遮断される。
【００２８】
〔システムの機能構成：図４〜図７〕
図４に、ベース装置１０の機能ブロック構成の一例を示す。制御部３０は、ＣＰＵ３１を備え、そのバス３２に、ＣＰＵ３１が実行すべきプログラムや固定データなどが書き込まれたＲＯＭ、およびＣＰＵ３１のワークエリアなどとして機能するＲＡＭなどからなるメモリ３３が接続される。
【００２９】
アンテナ端子１１には、テレビ放送の受信用のアンテナ１が接続され、そのアンテナ１で受信されたテレビ放送信号が、チューナ２１で選局復調され、さらにデジタル映像データおよびデジタル音声データに変換されて、バス３２に送出される。
【００３０】
回線端子１２には、電話回線２が接続され、その回線端子１２が、モデム２２を介してバス３２に接続される。
【００３１】
また、ＡＤＳＬモデムやＣＡＴＶモデムなどの接続用のイーサネット（登録商標）端子１３が、インタフェース２３を介してバス３２に接続される。
【００３２】
外部機器接続用の端子１４には、外部機器４として、ＤＶＤプレーヤやハードディスクレコーダ、またはデジタルＣＳチューナなどが接続され、これからの映像データおよび音声データが、インタフェース２４を介してバス３２に送出される。
【００３３】
さらに、端子１５にＡＶマウス５が接続されるとともに、端子１５がインタフェース２５を介してバス３２に接続され、制御部３０からのコマンド信号によってＡＶマウス５の発光部から送出された赤外線遠隔操作信号が、外部機器４に設けられた受光部で受信されることによって、外部機器４が操作される。
【００３４】
一方、バス３２に、ＤＳＰ（Ｄｉｇｉｔａｌ　Ｓｉｇｎａｌ　Ｐｒｏｃｅｓｓｏｒ）４１が接続され、ＤＳＰ４１に、切換スイッチ４２が接続され、切換スイッチ４２の一方の切換端に、無線通信部を構成する変復調部４３が接続され、変復調部４３に、表示端末５０との間の無線通信用のアンテナ２８が接続され、切換スイッチ４２の他方の切換端に、上記のコネクタ１９が接続される。
【００３５】
変復調部４３には、電源ライン４４から電源スイッチ４５を介して電源が供給される。
【００３６】
また、検出用端子１８ａが、抵抗３５を介して、電圧＋Ｖｃｃが得られる電源ライン３６に接続されて、検出回路３７が構成され、その出力信号が、インタフェース３９を介してバス３２に送出される。検出用端子１８ｂは、接地される。
【００３７】
図５に、表示端末５０の機能ブロック構成の一例を示す。制御部７０は、ＣＰＵ７１を備え、そのバス７２に、ＣＰＵ７１が実行すべきプログラムや固定データなどが書き込まれたＲＯＭ、およびＣＰＵ７１のワークエリアなどとして機能するＲＡＭなどからなるメモリ７３が接続される。
【００３８】
バス７２には、表示制御部９１を介してＬＣＤ５１が接続されるとともに、ＤＡ変換回路９３および音声増幅回路９５を介してスピーカ５３が接続される。また、タッチパネル５２が、座標検出部９２を介してバス７２に接続されるとともに、図１に示したインデックスボタン５４ａなどを含むキー操作部５４が、インタフェース９４を介してバス７２に接続される。
【００３９】
一方、バス７２に、ＤＳＰ８１が接続され、ＤＳＰ８１に、切換スイッチ８２が接続され、切換スイッチ８２の一方の切換端に、無線通信部を構成する変復調部８３が接続され、変復調部８３に、ベース装置１０との間の無線通信用のアンテナ５５が接続され、切換スイッチ８２の他方の切換端に、上記のコネクタ５９が接続される。
【００４０】
変復調部８３には、電源ライン８４から電源スイッチ８５を介して電源が供給される。
【００４１】
また、検出用端子５８ｂが、抵抗７５を介して、電圧＋Ｖｃｃが得られる電源ライン７６に接続されて、検出回路７７が構成され、その出力信号が、インタフェース７９を介してバス７２に送出される。検出用端子５８ａは、接地される。
【００４２】
図５および図４に示すように、表示端末５０のバッテリー収納部８９には、充電端子５７ａおよび５７ｂに接続されてバッテリー８７が収納され、ベース装置１０には、充電端子１７ａおよび１７ｂに接続されて充電回路４７が設けられる。
【００４３】
上述したベース装置１０および表示端末５０からなる通信システムで、表示端末５０がベース装置１０に装着されていない場合、すなわちベース装置１０から離れている場合には、表示端末５０の検出用端子５８ａ，５８ｂがベース装置１０の検出用端子１８ａ，１８ｂに接続されない。
【００４４】
そのため、ベース装置１０では、検出回路３７の出力電圧、すなわち検出用端子１８ａの電圧が、電源ライン３６の電圧＋Ｖｃｃとなって、制御部３０の制御によって、電源スイッチ４５がオンにされて、変復調部４３に電源が供給されるとともに、切換スイッチ４２が変復調部４３側に切り換えられ、表示端末５０では、検出回路７７の出力電圧、すなわち検出用端子５８ｂの電圧が、電源ライン７６の電圧＋Ｖｃｃとなって、制御部７０の制御によって、電源スイッチ８５がオンにされて、変復調部８３に電源が供給されるとともに、切換スイッチ８２が変復調部８３側に切り換えられる。
【００４５】
これによって、ベース装置１０から表示端末５０に送信されるデータは、ベース装置１０において、ＤＳＰ４１でＭＰＥＧ圧縮符号化されるべきデータがＭＰＥＧ圧縮符号化されるなどの必要な処理がされた上で、切換スイッチ４２を通じて変復調部４３に供給され、変復調部４３で無線送信用に変調されて、２．４ＧＨｚ帯や５ＧＨｚ帯などの無線周波数の信号として、アンテナ２８から表示端末５０に無線送信される。
【００４６】
このベース装置１０から表示端末５０に無線送信されたデータは、表示端末５０において、アンテナ５５で受信され、変復調部８３で復調されて、切換スイッチ８２を通じてＤＳＰ８１に供給され、ＤＳＰ８１でＭＰＥＧ復号されるべきデータがＭＰＥＧ復号されるなどの必要な処理がされた上で、バス７２に送出される。
【００４７】
また、表示端末５０からベース装置１０に送信されるデータは、表示端末５０において、ＤＳＰ８１で必要な処理がされた上で、切換スイッチ８２を通じて変復調部８３に供給され、変復調部８３で無線送信用に変調されて、２．４ＧＨｚ帯や５ＧＨｚ帯などの無線周波数の信号として、アンテナ５５からベース装置１０に無線送信される。
【００４８】
この表示端末５０からベース装置１０に無線送信されたデータは、ベース装置１０において、アンテナ２８で受信され、変復調部４３で復調されて、切換スイッチ４２を通じてＤＳＰ４１に供給され、ＤＳＰ４１で必要な処理がされた上で、バス３２に送出される。
【００４９】
一方、図３（Ｂ）に示したように表示端末５０がベース装置１０に装着されると、表示端末５０の検出用端子５８ａ，５８ｂがベース装置１０の検出用端子１８ａ，１８ｂに接続されるとともに、表示端末５０のコネクタ５９がベース装置１０のコネクタ１９に接続される。
【００５０】
そのため、ベース装置１０では、検出回路３７の出力電圧、すなわち検出用端子１８ａの電圧が、接地電位となって、制御部３０の制御によって、切換スイッチ４２がコネクタ１９側に切り換えられるとともに、電源スイッチ４５がオフにされて、変復調部４３の電源が遮断され、表示端末５０では、検出回路７７の出力電圧、すなわち検出用端子５８ｂの電圧が、接地電位となって、制御部７０の制御によって、切換スイッチ８２がコネクタ５９側に切り換えられるとともに、電源スイッチ８５がオフにされて、変復調部８３の電源が遮断される。
【００５１】
これによって、ベース装置１０から表示端末５０に送信されるデータは、ベース装置１０のＤＳＰ４１でＭＰＥＧ圧縮符号化されるべきデータがＭＰＥＧ圧縮符号化されるなどの必要な処理がされた上で、ベース装置１０の切換スイッチ４２を通じ、無線通信によらずにベース装置１０のコネクタ１９および表示端末５０のコネクタ５９を通じ、表示端末５０の切換スイッチ８２を通じて、表示端末５０のＤＳＰ８１に供給され、ＤＳＰ８１でＭＰＥＧ復号されるべきデータがＭＰＥＧ復号されるなどの必要な処理がされた上で、バス７２に送出される。
【００５２】
また、表示端末５０からベース装置１０に送信されるデータは、表示端末５０のＤＳＰ８１で必要な処理がされた上で、表示端末５０の切換スイッチ８２を通じ、無線通信によらずに表示端末５０のコネクタ５９およびベース装置１０のコネクタ１９を通じ、ベース装置１０の切換スイッチ４２を通じて、ベース装置１０のＤＳＰ４１に供給され、ＤＳＰ４１で必要な処理がされた上で、バス３２に送出される。
【００５３】
上記の、表示端末５０がベース装置１０に装着された場合における、切換スイッチ４２および８２の切り換え、および変復調部４３および８３の電源の遮断については、まず、切換スイッチ４２，８２がコネクタ１９，５９側に切り換えられて、ベース装置１０と表示端末５０との間の無線通信によらないデータの送受信が確保された後、変復調部４３および８３の電源が遮断されるように、ベース装置１０のＣＰＵ３１および表示端末５０のＣＰＵ７１が実行する切換制御処理ルーチンを構成する。
【００５４】
一方、表示端末５０をベース装置１０から離すると、上述したように、変復調部４３および８３に電源が供給されるとともに、切換スイッチ４２，８２が変復調部４３，８３側に切り換えられるが、この場合には、まず、変復調部４３および８３に電源が供給されて、ベース装置１０と表示端末５０との間の無線通信が可能にされた後、切換スイッチ４２，８２が変復調部４３，８３側に切り換えられるように、ベース装置１０のＣＰＵ３１および表示端末５０のＣＰＵ７１が実行する切換制御処理ルーチンを構成する。
【００５５】
図６に、ベース装置１０のＣＰＵ３１が実行する切換制御処理ルーチンの一例を示す。この切換制御処理ルーチン１００では、一定時間ごとに、まずステップ１０１で、検出回路３７の出力信号を取り込み、次にステップ１０２で、その出力信号から、表示端末５０が当該のベース装置１０に装着されたか、当該のベース装置１０から離れたかを判断する。
【００５６】
そして、表示端末５０が当該のベース装置１０に装着されたと判断したときには、ステップ１０２からステップ１０３に進んで、切換スイッチ４２をコネクタ１９側に切り換えた後、ステップ１０４に進んで、電源スイッチ４５をオフにして、変復調部４３の電源を遮断する。
【００５７】
ステップ１０２で、表示端末５０が当該のベース装置１０から離れたと判断したときには、ステップ１０５に進んで、電源スイッチ４５をオンにして、変復調部４３に電源を供給した後、ステップ１０６に進んで、切換スイッチ４２を変復調部４３側に切り換える。
【００５８】
図７に、表示端末５０のＣＰＵ７１が実行する切換制御処理ルーチンの一例を示す。この切換制御処理ルーチン１１０では、一定時間ごとに、まずステップ１１１で、検出回路７７の出力信号を取り込み、次にステップ１１２で、その出力信号から、当該の表示端末５０がベース装置１０に装着されたか、ベース装置１０から離れたかを判断する。
【００５９】
そして、当該の表示端末５０がベース装置１０に装着されたと判断したときには、ステップ１１２からステップ１１３に進んで、切換スイッチ８２をコネクタ５９側に切り換えた後、ステップ１１４に進んで、電源スイッチ８５をオフにして、変復調部８３の電源を遮断する。
【００６０】
ステップ１１２で、当該の表示端末５０がベース装置１０から離れたと判断したときには、ステップ１１５に進んで、電源スイッチ８５をオンにして、変復調部８３に電源を供給した後、ステップ１１６に進んで、切換スイッチ８２を変復調部８３側に切り換える。
【００６１】
〔実施形態の効果〕
上述した実施形態によれば、表示端末５０をベース装置１０に装着して使用する場合には、ベース装置１０と表示端末５０との間で無線通信によらずにデータが送受信され、ベース装置１０の変復調部４３および表示端末５０の変復調部８３の電源が遮断されるので、ベース装置１０および表示端末５０の消費電力を低減することができる。
【００６２】
また、この場合には、電波によらずにデータが伝送されるので、周囲の電波の影響を受けずに良好にデータを伝送することができるとともに、周囲に電波を放出しないので、周囲の機器に外来電波の影響を生じさせることがなくなる。
【００６３】
〔他の実施形態〕
上述した実施形態は、ベース装置１０および表示端末５０に検出用端子１８ａ，１８ｂおよび５８ａ，５８ｂを設ける場合であるが、上述した実施形態のベース装置１０および表示端末５０では、表示端末５０がベース装置１０に装着されたときには、充電端子１７ａ，５７ａおよび１７ｂ，５７ｂに充電電流が流れ、充電端子１７ａ，５７ａおよび１７ｂ，５７ｂに電圧が発生するので、その充電電流または電圧の有無から、表示端末５０がベース装置１０に装着されているかベース装置１０から離れているかが検出されるように、ベース装置１０および表示端末５０を構成することもできる。
【００６４】
また、同様に、コネクタ１９，５９における電圧の有無または変化から、表示端末５０がベース装置１０に装着されているかベース装置１０から離れているかが検出されるように、ベース装置１０および表示端末５０を構成することもできる。
【００６５】
さらに、通信システムを構成する無線通信装置としては、上述したようなベース装置および表示端末に限らない。
【００６６】
【発明の効果】
上述したように、この発明によれば、第１に、無線通信装置の消費電力を低減することができる。第２に、周囲の電波の影響を受けずに良好にデータを伝送できることが多くなり、周囲の機器に外来電波の影響を生じさせることが少なくなる。
【図面の簡単な説明】
【図１】この発明の無線通信装置の一実施形態である表示端末の外観的な構成の一例を示す図である。
【図２】この発明の無線通信装置の一実施形態であるベース装置の外観的な構成の一例を示す図である。
【図３】表示端末をベース装置から離した状態およびベース装置に装着した状態を示す図である。
【図４】図２のベース装置の機能ブロック構成の一例を示す図である。
【図５】図１の表示端末の機能ブロック構成の一例を示す図である。
【図６】図４のベース装置のＣＰＵが実行する切換制御処理ルーチンの一例を示す図である。
【図７】図５の表示端末のＣＰＵが実行する切換制御処理ルーチンの一例を示す図である。
【図８】無線通信システムの一例の概略的な構成を示す図である。
【符号の説明】
主要部については図中に全て記述したので、ここでは省略する。
【図１】
2004023629.tif 000003
【図２】
2004023629.tif 000004
【図３】
2004023629.tif 000005
【図４】
2004023629.tif 000006
【図５】
2004023629.tif 000007
【図６】
2004023629.tif 000008
【図７】
2004023629.tif 000009
【図８】
2004023629.tif 000010